(57)【要約】【課題】テスト映像信号生成回路のメンテナンス性を高める。【解決手段】１枚の画像を成す映像を、複数の領域に分割し、当該分割された複数の領域の映像に対応する複数チャンネルの映像信号として並列に処理する場合に用いるテスト映像信号生成回路において、該複数のチャンネルのテスト信号映像信号を夫々生成する複数の生成モジュール（５-1〜５-16）が、該複数のチャンネルの全て横断するアドレスを用いて、互いに異なる該テスト信号映像信号を生成するようにした。生成モジュールは、前記テスト信号映像信号を、前記アドレスの関数としてリアルタイムに生成する。また生成されるテスト信号映像信号は、前記１枚の画像を成す映像がＨＤＴＶにダウンコンバートされても消失せずに再生されるために必要な複数ピクセル幅のラインを表示させる信号を含む。【選択図】図２
2010273248.tif 000002
【特許請求の範囲】
【請求項１】
１枚の画像を成す映像を、複数の領域に分割し、当該分割された複数の領域の映像に対応する複数チャンネルの映像信号として並列に処理する場合に用いるテスト映像信号生成回路であって、
該複数のチャンネルのテスト信号映像信号を夫々生成する複数の生成モジュールが、該複数のチャンネルの全て横断するアドレスを用いて、互いに異なる該テスト信号映像信号を生成することを特徴とするテスト映像信号生成回路。
【請求項２】
前記生成モジュールは、前記テスト信号映像信号を、前記アドレスの関数としてリアルタイムに生成するものであり、該生成されるテスト信号映像信号は、前記１枚の画像を成す映像がＨＤＴＶにダウンコンバートされても消失せずに再生されるために必要な複数ピクセル幅のラインを表示させる信号を含むことを特徴とする請求項１記載のテスト映像信号生成回路。
【発明の詳細な説明】
【技術分野】
【０００１】
本発明は、テスト映像信号生成回路に関し、特に１画面を複数の領域に分割し、映像を複数の領域毎の映像信号として扱う用途における、テスト映像信号生成回路に関する。
【背景技術】
【０００２】
従来、ＨＤＴＶ（High Definition Television：ハイビジョン）の画素数以上の画素数を持つ撮像素子（イメージセンサ）においては、特に動画用の高速読み出し動作を実現するため、全画素領域を略一定間隔に複数のエリアに分割し、その複数のエリアを略同一のタイミングにて駆動する並列読み出し動作を行うものが知られる（例えば、特許文献１及び２参照。）。
【０００３】
また、分割した各チャンネルの時間差を容易に調整し、かつ、つなぎ目付近の映像に隙間や抜けが出来ないよう迅速に調整出来る、高精細画像表示システムのテストパターン発生手段が知られている（例えば、特許文献３参照。）。
【先行技術文献】
【特許文献】
【０００４】
【特許文献１】特開２００５‐１３０３３１号公報
【特許文献２】特開２００３‐１４３５６２号公報
【特許文献３】特開２００５‐２６９１６３号公報
【発明の概要】
【発明が解決しようとする課題】
【０００５】
イメージセンサの出力する信号が、横方向に分割（例えば１６ｃｈに分割）された状態で並列に得られるものである場合、それを受けた信号処理部や表示装置は、１６ｃｈの並列映像信号を、（分割された状態のまま）リアルタイムに同時に処理する。このため、そのような撮像映像信号の代わりに用いるテスト信号も、同様に分割された並列映像信号とする必要がある。
【０００６】
図８は、そのようなテスト信号を生成するために検討された方法を示す模式図である。図８のように、ｃｈ数と同数のテスト信号生成モジュールを用意し、夫々のモジュールが該当する１ｃｈ分のテスト信号を生成して出力する。
各テスト信号生成モジュールはその内部において、ピクセルの水平位置を示す水平アドレスとして、同じ０から４８９を用いるため、１画面全体としては連続性（一貫性）の無いものになっている。そのため、画面の左上端から右下端へと１本の黒いラインを描画する場合でも、そのラインを生成する関数（１次式）は同じにできない。
【０００７】
このように、図８の方法では、テスト信号の映像パターンの変更・修正する際、全ｃｈのテスト信号生成モジュールの回路変更する必要があるため、メンテナンス性が悪いという課題があった。
【課題を解決するための手段】
【０００８】
上述した課題を解決するために、本発明のテスト映像信号生成回路は、
１枚の画像を成す映像を、複数の領域に分割し、当該分割された複数の領域の映像に対応する複数チャンネルの映像信号として並列に処理する場合に用いるテスト映像信号生成回路であって、
該複数のチャンネルのテスト信号映像信号を夫々生成する複数の生成モジュールが、該複数のチャンネルの全て横断するアドレスを用いて、互いに異なる該テスト信号映像信号を生成する。
【０００９】
また、本発明のテスト映像信号生成回路においては、上記に加え、
前記生成モジュールは、前記テスト信号映像信号を、前記アドレスの関数としてリアルタイムに生成するものであり、該生成されるテスト信号映像信号は、前記１枚の画像を成す映像がＨＤＴＶにダウンコンバートされても消失せずに再生されるために必要な複数ピクセル幅のラインを表示させる信号を含む。
【発明の効果】
【００１０】
本発明によれば、各ｃｈのテスト信号生成モジュールが、全ｃｈを横断するアドレス（グローバルアドレス）を用いてテスト信号生成を生成するようにしたので、メンテナンス性が向上する。
【図面の簡単な説明】
【００１１】
【図１】本発明の実施形態に係るテスト信号生成回路の動作を示す模式図
【図２】テスト信号生成回路１のブロック図（実施例１）
【図３】単ｃｈ用テスト信号生成器５の内部ブロック図（実施例１）
【図４】テスト信号のダウンコンバート後の表示例（実施例１）
【図５】テスト信号のダウンコンバート後の表示例（実施例１）
【図６】テスト信号（ライン信号とランプ信号）の表示例（実施例１）
【図７】テスト信号（ライン信号とカラーバー信号）の表示例（実施例１）
【図８】検討されたテスト信号生成回路の動作を示す模式図
【発明を実施するための形態】
【００１２】
図１は、本発明の実施形態に係るテスト信号生成回路の動作を示す模式図である。本形態に係るテスト信号生成回路では、ｃｈ数と同数のテスト信号生成モジュールが、１ピクセルの水平位置を示す水平アドレスとして、１画面全体で連続性のあるグローバルアドレスを使用する。グローバル水平アドレス一例として、０ｃｈは０〜４８９、１ｃｈは４９０〜９７９、２ｃｈは９９０〜１４７９、…、１５ｃｈは７３５０〜７８３９を用いる。
【実施例】
【００１３】
図２は、本実施例に係るテスト信号生成回路１のブロック図である。本例において、並列映像信号が扱う１画面（センサから読み出した原画像の画面）全体のサイズは横7840×縦4360ピクセル（有効画素は横7680×縦4320ピクセル）であり、ｃｈの分割数Ｍ（Ｍは２以上の整数）は１６である。
本例のテスト信号生成回路１は、SHDカウンター２と、グローバル垂直アドレス生成器３と、グローバル水平アドレス生成器４と、単ｃｈ用テスト信号生成器５−１〜５−１６と、を備え、外部のSG部（図示せず）から水平アドレス７と垂直アドレス８を入力される。
【００１４】
SHDカウンター２は、入力された水平アドレス（或いはピクセルクロック）７から、１ch分の水平アドレス９を生成する。この水平アドレス９は、１Ｈ周期（１水平ライン周期）で０〜４８９の値をとる。
グローバル垂直アドレス生成器３は、入力された垂直アドレス８から、グローバル垂直アドレス１１を生成する。グローバル垂直アドレス１１は、１フレーム周期で０〜４３５９の値を一巡する。
【００１５】
グローバル水平アドレス生成器４−１〜４−１６は、夫々入力された水平アドレス９とｃｈ番号６−１〜６−１６とから、グローバル水平アドレス１０−１〜１０−１６を生成する。グローバル水平アドレス１０−１〜１０−１６は１フレーム周期で夫々、０〜４８９、４９０〜９７９、９９０〜１４７９、…、７３５０〜７８３９の値を一巡する。
【００１６】
単ｃｈ用テスト信号生成器５−１〜５−１６は夫々、グローバル水平アドレス１０−１〜１０−１６とグローバル垂直アドレス１１とから、各ｃｈに応じたテスト信号１２を生成して出力する。単ｃｈ用テスト信号生成器５−１〜５−１６は、（レジスタに記録する変数などを除き）実質的に同一の構成である。単ｃｈ用テスト信号生成器５には、ＲＧＢ選択モード１３やテスト信号選択モード１４等の信号を入力するが、これについては後述する。
【００１７】
図３は、単ｃｈ用テスト信号生成器５の内部ブロック図である。
単ｃｈ用テスト信号生成器５は、ライン生成器１７、ランプ生成器１８、カラーバー生成器１９、及びセレクタ２０〜２２を備える。
【００１８】
ライン生成器１７は、グローバル水平アドレス１０、グローバル垂直アドレス１１、白レベル１５、黒レベル１６を入力され、与えられたアドレスで定まるピクセルがライン上か否かをリアルタイムに計算して、ラインが描画された映像信号（ライン信号と呼ぶ）を出力する。本例では複数本のラインを生成でき、ライン信号は一例として、いずれのライン上でもなければ白レベル１５、いずれかのライン上であれば黒レベル１６に応じた値になる。
尚、ライン信号１５の幅は、ある程度のピクセル数（例えば４ピクセル）とする。
こうすることで、例えば映像信号が8K×4Kの映像だった場合、この映像を下記のように
ダウンコンバートした際、ラインは消失しない。
（ａ）8K×4Kの映像⇒4K×2Kの映像へのダウンコンバート：
ライン信号の幅は２ピクセルになる（図４参照）。
（ｂ）8K×4Kの映像⇒2K×1Kの映像(1920×1080のHDTV映像)へのダウンコンバート：
ライン信号の幅は１ピクセルになる（図５参照）。
【００１９】
ランプ生成器１８は、グローバル水平アドレス１０、グローバル垂直アドレス１１、白レベル１５、及び黒レベル１６を用いて、与えられたアドレスにおうじてリアルタイムにランプの映像信号ランプ信号とゲート信号２３を出力する。ランプ信号は、所定領域（通常は矩形）内で位置に応じて黒レベル１６から白レベル１５へと線形に輝度等が変化する映像の信号である。ゲート信号２３は、そのランプ信号を出力する期間だけ真になるような論理値信号である。所定領域の座標はグローバル水平アドレス、グローバル垂直アドレスとして単ｃｈ用テスト信号生成器５の夫々に与えられる。
セレクタ２０は、ゲート信号２３を用いて、ランプ信号とライン信号を選択し出力することで、「ランプ信号＋ライン信号」を得る。
【００２０】
カラーバー生成器１９は、グローバル水平アドレス１０、グローバル垂直アドレス１１、白レベル１５、黒レベル１６、及びＲＧＢ選択モード１３を用いて、カラーバー信号とゲート信号２４を出力する。カラーバー信号は、複数の所定領域内で夫々所定の一定色になるような映像の信号である。ゲート信号２４はそのカラーバー信号を出力する期間だけ真になるような論理値信号である。
セレクタ２１は、ゲート信号２４を用いて、カラーバー信号とライン信号を選択し出力することで、「カラーバー信号＋ライン信号」を作る。
【００２１】
セレクタ２２は、テスト信号選択モード１４を用いて、「ランプ信号＋ライン信号」と
「カラーバー信号＋ライン信号」を切り替えて、テスト信号２５を作る。テスト信号２５は、例えばSMPTE 292に規定されるHD-SDI信号と同等のフォーマットである。
このように本例の単ｃｈ用テスト信号生成器５は、予めテスト映像をビデオメモリ上に描画してそれを読み出すものではなく、与えられたグローバル水平アドレス１０、グローバル垂直アドレス１１の関数としてリアルタイムに生成するものである。
【００２２】
図６及び図７は夫々、テスト信号（ライン信号とランプ信号）及びテスト信号（ライン信号とカラーバー信号）の再生（表示）例である。なお図中に矢印で示した注釈等は、テスト信号を構成するものではない。
図６のテスト信号による表示には、ラインとして、４本のCMOS出力外枠ライン、４本の有効外枠ライン、１本の左右中央ライン、１本の上下中央ライン、２本の対角ライン、４本の４５°ライン（画面の四隅を始点とする）、４本の１／２対角ラインが含まれる。またランプとしては、画面の横方向ほぼ全体に亘る１つの長いランプと、各ｃｈ内の１６個の短いランプとが含まれる。したがって、これらのラインや長いランプは、各ｃｈで表示が異なる。
【００２３】
図７は、図６のランプ信号に代えて、丸１〜丸１４で示される、１１階調のグレースケールチャート（カラーバー生成器で生成する）と、それを取り囲む、(1)から(28)の２８種の色相を有するカラーバーとを有する。
図６及び図７のようなテスト信号は、並列映像信号で扱われ、最終的に１画面分の信号として表示装置で再生されたり信号評価装置で測定されたりすることに意義を有するものである。
【符号の説明】
【００２４】
１：テスト信号生成モジュール、      ２：SHDカウンター
３：グローバル垂直アドレス生成器、  ４：グローバル水平アドレス生成器
５：単ｃｈ用テスト信号生成器、      ６：ｃｈ番号
７：水平アドレス、                  ８：垂直アドレス
９：１ch単位の水平アドレス、      １０：グローバル水平アドレス
１１：グローバル垂直アドレス、      １２：テスト信号
１３：ＲＧＢ選択モード、            １４：テスト信号選択モード
１５：白レベル、                    １６：黒レベル
１７：ライン生成器、                １８：ランプ生成器
１９：カラーバー信号、              ２０〜２２：セレクタ
２３〜２５：テスト信号
【図１】
2010273248.tif 000003
【図２】
2010273248.tif 000004
【図３】
2010273248.tif 000005
【図４】
2010273248.tif 000006
【図５】
2010273248.tif 000007
【図６】
2010273248.tif 000008
【図８】
2010273248.tif 000009
【図７】
2010273248.tif 000010